(57)【要約】【課題】ブリスターパックに代わる安価な商品陳列用包装体と、該商品陳列用包装体における袋体及び台シートと、該商品陳列用包装体の製造方法を提供する。【解決手段】袋体は、透明又は半透明とされた合成樹脂シュリンクフィルムにより形成された袋部と、該袋部の背部に延設されると共に保形性シートにより形成された舌片とを備えている。台シートは、保形性シートにより形成されると共に前記舌片を挿通自在とするスリットを形成している。前記袋体と台シートは、台シートの正面からスリットに挿通した舌片を該台シートに対して抜止め手段により保持し、台シートの正面に位置して袋部に収容された商品を前記シュリンクフィルムの熱収縮により抱持した構成である。【選択図】図３
2009107702.tif 000002
【特許請求の範囲】
【請求項１】
袋体(11)と台シート(12)とから成る構成において、
前記袋体(11)は、透明又は半透明とされた合成樹脂シュリンクフィルムにより形成された袋部(13)と、該袋部(13)の背部に延設されると共に保形性シートにより形成された舌片(14)とを備え、
前記台シート(12)は、保形性シートにより形成されると共に前記舌片(14)を挿通自在とするスリット(15)を形成しており、
前記袋体(11)と台シート(12)は、台シート(12)の正面からスリット(15)に挿通した舌片(14)を該台シート(12)に対して抜止め手段(21)により保持し、台シート(12)の正面に位置して袋部(13)に収容された商品(M)を前記シュリンクフィルムの熱収縮により抱持して成ることを特徴とする商品陳列用包装体。
【請求項２】
請求項１に記載の商品陳列用包装体における袋体であり、
袋体(11)は、シュリンクフィルムにより形成された袋部(13)と、該袋部の背部に延設されると共に保形性シートにより形成された舌片(14)とを備え、該保形シートを炭酸カルシウムの含有により耐熱性を有する合成紙により形成して成ることを特徴とする商品陳列用包装体における袋体。
【請求項３】
請求項１に記載の商品陳列用包装体における台シートであり、
台シート(12)は、保形性シートにより形成された表シート(16)と裏シート(17)を折曲部の両側に延設すると共に、表シート(16)に袋体(11)の舌片(14)を挿通自在とするスリット(15)を形成しており、該表シート(16)の背部に前記折曲部を介して折曲され重合される裏シート(17)により前記舌片(14)の抜け止め手段(21)を形成するように構成され、前記保形シートを炭酸カルシウムの含有により耐熱性を有する合成紙により形成して成ることを特徴とする商品陳列用包装体における台シート。
【請求項４】
袋体(11)と台シート(12)とから成る構成において、
前記袋体(11)は、透明又は半透明とされた合成樹脂シュリンクフィルムにより形成された袋部(13)と、該袋部(13)の背部に延設されると共に保形性シートにより形成された相互に接離自在な一対の舌片(14)(14)とを備え、
前記台シート(12)は、保形性シートにより形成されており、前記舌片(14)(14)を挿通自在とするスリット(15)を形成した表シート(16)と、該表シートの背部に重合される裏シート(17)とを備え、
前記袋体(11)と台シート(12)は、表シート(16)の正面からスリット(15)に挿通した一対の舌片(14)(14)を相互に離反させた状態で表シート(16)と裏シート(17)の間に挟持させることにより抜止め状に保持し、表シート(16)の正面に位置して袋部(13)に収容された商品(M)を前記シュリンクフィルムの熱収縮により抱持して成ることを特徴とする商品陳列用包装体。
【請求項５】
前記舌片(14)及び／又は台シート(12)を構成する保形シートは、炭酸カルシウムの含有量を８０〜６５重量％とした合成紙により形成されていることを特徴とする請求項４に記載の商品陳列用包装体。
【請求項６】
請求項４に記載の商品陳列包装体の製造方法において、
前記袋体(11)の多数を形成する製袋工程と、
長尺の帯状保形シートから成る台シート素材(12a)の表シート形成部(16a)に所定間隔をあけて多数のスリット(15)を形成する台シート素材形成工程と、
前記台シート素材(12a)のスリット(15)に袋体(11)の舌片(14)を装着する結合工程と、
多数の袋体(11)の袋部(13)にそれぞれ商品(M)を装填した状態で、台シート素材(12a)と共に加熱し、袋部(13)のシュリンクフィルムを熱収縮させることにより商品(M)を抱持させるシュリンク工程と、
前記台シート素材(12a)の表シート形成部(16a)の背部に裏シート形成部(17a)を重合固着することにより表裏シート形成部(16a)(17a)の間に舌片(14)を挟持させる重合工程と、
長尺の台シート素材(12a)を袋体毎に分断することにより、台シート(12)と袋体(11)を備えた単位包装体(10a)を得る分断工程とから成ることを特徴とする商品陳列包装体の製造方法。
【請求項７】
請求項４に記載の商品陳列包装体の製造方法において、
前記袋体(11)の多数を形成する製袋工程と、
長尺の帯状保形シートから成る台シート素材(12a)の表シート形成部(16a)に所定間隔をあけて多数のスリット(15)を形成する台シート素材形成工程と、
前記台シート素材(12a)のスリット(15)に袋体(11)の舌片(14)を装着する結合工程と、
前記台シート素材(12a)の表シート形成部(16a)の背部に裏シート形成部(17a)を重合固着することにより表裏シート形成部(16a)(17a)の間に舌片を挟持させる重合工程と、
長尺の台シート素材(12a)を袋体毎に分断することにより、台シート(12)と袋体(11)を備えた単位包装体(10b)を得る分断工程と、
前記単位包装体(10b)の袋部(13)に商品(M)を装填した状態で加熱し、袋部(13)のシュリンクフィルムを熱収縮させることにより商品(M)を抱持させるシュリンク工程とから成ることを特徴とする商品陳列包装体の製造方法。
【請求項８】
請求項４に記載の商品陳列包装体の製造方法において、
前記袋体(11)の多数を形成する製袋工程と、
長尺の帯状保形シートから成る台シート素材(12a)の表シート形成部(16a)に所定間隔をあけて多数のスリット(15)を形成する台シート素材形成工程と、
個々の袋体(11)の袋部(13)に商品(M)を装填した状態で加熱し、袋部(13)のシュリンクフィルムを熱収縮させることにより商品(M)を抱持させるシュリンク工程と、
前記シュリンク後の袋体(11)の舌片(14)を台シート素材(12a)のスリット(15)に装着する結合工程と、
前記台シート素材(12a)の表シート形成部(16a)の背部に裏シート形成部(17a)を重合固着することにより表裏シート形成部(16a)(17a)の間に舌片(14)を挟持させる重合工程と、
長尺の台シート素材(12a)を袋体毎に分断することにより、台シート(12)と袋体(11)を備えた単位包装体(10c)を得る分断工程とから成ることを特徴とする商品陳列包装体の製造方法。
【発明の詳細な説明】
【技術分野】
【０００１】
本発明は、商品のシュリンク包装を可能とした袋体を台シートに結合した商品陳列用包装体と、該商品陳列用包装体における袋体及び台シートと、該商品陳列用包装体の製造装置に関する。
【背景技術】
【０００２】
従来、台シート上に商品を包装したブリスターパックが一般的に知られている。このようなブリスターパックは、図１に示すように、商品を収容する凹部１ａを形成した保持シート１を台紙２に結合したものである。この際、凹部１ａは、商品Ｍの形状に対応した形状となるように成形されている。
【０００３】
保持シート１は、保形性を有する透明の合成樹脂シートを真空成形等で成形することにより凹部１ａと周囲のフランジ１ｂを形成し、該凹部１ａに商品Ｍを収容した状態で台紙２に重ね合わせ、フランジ１ｂを台紙２に接着剤又は溶着手段により固着される。或いは、フランジ１ｂの両側縁に折曲部を設け、台紙２に対してスライド自在に装着し、ホッチキス（商品名）によるスーテープルで固着したものも存在する。尚、台紙２には吊下孔２ａが設けられており、陳列台のロッド等に吊持状態で陳列される。
【０００４】
【特許文献１】特開２００６−３４１８５８号公報
【発明の開示】
【発明が解決しようとする課題】
【０００５】
上述のブリスターパックは、保形シート１を保形性のある比較的厚手の合成樹脂シートを商品Ｍの形状に対応するように成形されるものであるから、成形金型等の設備投資の点と、合成樹脂素材の消費量の点から、高コストになるという問題がある。しかも、省資源の問題だけでなく、近年クローズアップされている廃棄処理の問題がある。
【０００６】
また、合成樹脂シートを成形した凹部１ａに商品Ｍを収容する関係上、商品Ｍが内部でガタツキを生じ易いという問題がある。
【０００７】
更に、購買者は、保形シート１を台紙２から分離して商品Ｍを取り出す際に、上述のような接着剤の剥離や、ステープルの取り外しを行うことが必要であり、その作業は、婦女子には必ずしも容易ではない。
【０００８】
この点に関して、本発明者は、シュリンクフィルムにより形成した袋体を台紙に結合するように構成すれば、従来の製袋機を利用することが可能であり、しかも、薄いフィルムで形成した袋体を熱収縮することにより商品を保持できるので、上述のような成形金型が必要でなく、合成樹脂素材の消費量も削減され、低コストであると共に、廃棄処理に貢献できることを知見した。
【０００９】
しかしながら、袋体を台紙に結合するための結合手段の構成に課題があり、また、熱収縮に際して熱影響を受ける前記結合手段や台紙等の構成に課題がある。
【課題を解決するための手段】
【００１０】
本発明は、上記課題を解決した商品陳列用包装体並びに商品陳列用包装体における袋体及び台シート並びに商品陳列用包装体の製造装置を提供するものである。
【００１１】
そこで、本発明の商品陳列用包装体が第一の手段として構成したところは、袋体と台シートとから成る構成において、前記袋体は、透明又は半透明とされた合成樹脂シュリンクフィルムにより形成された袋部と、該袋部の背部に延設されると共に保形性シートにより形成された舌片とを備え、前記台シートは、保形性シートにより形成されると共に前記舌片を挿通自在とするスリットを形成しており、前記袋体と台シートは、台シートの正面からスリットに挿通した舌片を該台シートに対して抜止め手段により保持し、台シートの正面に位置して袋部に収容された商品を前記シュリンクフィルムの熱収縮により抱持して成る点にある。
【００１２】
前記商品陳列用包装体において、本発明の袋体が手段として構成したところは、袋体は、シュリンクフィルムにより形成された袋部と、該袋部の背部に延設されると共に保形性シートにより形成された舌片とを備え、該保形シートを炭酸カルシウムの含有により耐熱性を有する合成紙により形成して成る点にある。
【００１３】
前記商品陳列用包装体において、本発明の台シートが手段として構成したところは、台シートは、保形性シートにより形成された表シートと裏シートを折曲部の両側に延設すると共に、表シートに袋体の舌片を挿通自在とするスリットを形成しており、該表シートの背部に前記折曲部を介して折曲され重合される裏シートにより前記舌片の抜け止め手段を形成するように構成され、前記保形シートを炭酸カルシウムの含有により耐熱性を有する合成紙により形成して成ることを特徴とする商品陳列用包装体における台シート。
【００１４】
また、本発明の商品陳列用包装体が第二の手段として構成したところは、袋体と台シートとから成る構成において、前記袋体は、透明又は半透明とされた合成樹脂シュリンクフィルムにより形成された袋部と、該袋部の背部に延設されると共に保形性シートにより形成された相互に接離自在な一対の舌片とを備え、前記台シートは、保形性シートにより形成されており、前記舌片を挿通自在とするスリットを形成した表シートと、該表シートの背部に重合される裏シートとを備え、前記袋体と台シートは、表シートの正面からスリットに挿通した一対の舌片を相互に離反させた状態で表シートと裏シートの間に挟持させることにより抜止め状に保持し、表シートの正面に位置して袋部に収容された商品を前記シュリンクフィルムの熱収縮により抱持して成る点にある。
【００１５】
前記第二の手段において、前記舌片及び／又は台シートを構成する保形シートは、炭酸カルシウムの含有量を８０〜６５重量％とした合成紙により形成することが好ましい。
【００１６】
ところで、前記商品陳列用包装体を製造するために本発明の製造方法が第一の手段として構成したところは、前記袋体の多数を形成する製袋工程と、長尺の帯状保形シートから成る台シート素材の表シート形成部に所定間隔をあけて多数のスリットを形成する台シート素材形成工程と、前記台シート素材のスリットに袋体の舌片を装着する結合工程と、多数の袋体の袋部にそれぞれ商品を装填した状態で、台シート素材と共に加熱し、袋部のシュリンクフィルムを熱収縮させることにより商品を抱持させるシュリンク工程と、前記台シート素材の表シート形成部の背部に裏シート形成部を重合固着することにより表裏シート形成部の間に舌片を挟持させる重合工程と、長尺の台シート素材を袋体毎に分断することにより、台シートと袋体を備えた単位包装体を得る分断工程とから成る点にある。
【００１７】
また、前記商品陳列用包装体を製造するために本発明の製造方法が第二の手段として構成したところは、前記袋体の多数を形成する製袋工程と、長尺の帯状保形シートから成る台シート素材の表シート形成部に所定間隔をあけて多数のスリットを形成する台シート素材形成工程と、前記台シート素材のスリットに袋体の舌片を装着する結合工程と、前記台シート素材の表シート形成部の背部に裏シート形成部を重合固着することにより表裏シート形成部の間に舌片を挟持させる重合工程と、長尺の台シート素材を袋体毎に分断することにより、台シートと袋体を備えた単位包装体を得る分断工程と、前記単位包装体の袋部に商品を装填した状態で加熱し、袋部のシュリンクフィルムを熱収縮させることにより商品を抱持させるシュリンク工程とから成る点にある。
【００１８】
更に、前記商品陳列用包装体を製造するために本発明の製造方法が第三の手段として構成したところは、前記袋体の多数を形成する製袋工程と、長尺の帯状保形シートから成る台シート素材の表シート形成部に所定間隔をあけて多数のスリットを形成する台シート素材形成工程と、個々の袋体の袋部に商品を装填した状態で加熱し、袋部のシュリンクフィルムを熱収縮させることにより商品を抱持させるシュリンク工程と、前記シュリンク後の袋体の舌片を台シート素材のスリットに装着する結合工程と、前記台シート素材の表シート形成部の背部に裏シート形成部を重合固着することにより表裏シート形成部の間に舌片を挟持させる重合工程と、長尺の台シート素材を袋体毎に分断することにより、台シートと袋体を備えた単位包装体を得る分断工程とから成る点にある。
【発明の効果】
【００１９】
請求項１に記載の本発明によれば、袋体１１が熱収縮したシュリンクフィルムにより商品Ｍを袋部１３に抱持させた状態で台シート１２の正面に添設されるので、従来のブリスターパックのような成形金型を必要とせず商品陳列用包装体１０を安価に提供することができる。そして、袋体１１は、背部に延設された保形性シートから成る舌片１４を台シート１２のスリット１５に挿通され、抜け止め手段２１により保持される構成であるから、熱収縮により商品Ｍの外周を密着状態で抱持した袋部１３を台シート１２の正面に安定した状態で取り付けることができるという効果がある。
【００２０】
請求項２に記載の本発明によれば、舌片１４が炭酸カルシウムの含有により耐熱性を有する合成紙により構成されているので、商品Ｍを装填した袋部１３と舌片１４を含む袋体１１の全体に熱処理を施すことにより前記フィルムの熱収縮を行わせることができ、この際、耐熱性のある舌片１４が熱影響により波打ち状等に歪曲することはないので、請求項１に記載の商品陳列用包装体１０に適した袋体１１を提供できるという効果がある。しかも、合成紙であるから、溶断等により形状を自在とした舌片を形成することが可能であり、生産性が高い。
【００２１】
請求項３に記載の本発明によれば、台シート１２が炭酸カルシウムの含有により耐熱性を有する合成紙により構成されているので、予め台シート１２又は台シート素材１２ａに袋体１１を装着し、袋部１３に商品Ｍを装填した状態で、該袋体１１と台シート１２又は台シート素材１２ａを含む全体に熱処理を施すことにより前記フィルムの熱収縮を行わせることができ、この際、耐熱性のある台シート１２又は台シート素材１２ａが熱影響により波打ち状等に歪曲することはないので、請求項１に記載の商品陳列用包装体１０に適した台シート１２を提供できるという効果がある。そして、このような合成紙により形成した台シート１２は、折曲部の両側に表シート１６と裏シート１７を延設し、裏シート１７を表シート１６に重合することにより舌片１４の抜け止め手段２１を形成する構成とされており、表裏シート１６、１７を重合した状態でサイドシール方式に溶断することにより固着側縁部２０、２０を形成することができるので、生産性が高い。
【００２２】
請求項４に記載の本発明によれば、台シート１２の表シート１６に形成したスリット１５に対して、袋体１１の一対の舌片１４、１４を挿通すると共に相互に離反させ、裏シート１７を表シート１６に重合することにより、前記舌片１４、１４を挟持することにより抜け止め状に保持する構成であるから、表裏シート１６、１７を接着剤で接着したり、台シート１２の両側縁で溶断溶着したりすることにより、袋体１１と台シート１２の結合体を容易に提供することができ、生産性に優れる効果がある。
【００２３】
請求項５に記載の本発明によれば、舌片１４及び／又は台シート１２を構成する保形シートを炭酸カルシウムの含有量を８０〜６５重量％とした合成紙により形成しているので、該保形シートが耐熱性に優れ、袋部１３を熱収縮させるための加熱処理を該保形シートに同時に施しても、波打ち状等に歪曲することがなく、商品価値を損なわない。しかも、燃焼時に排出される二酸化炭素がパルプ紙製品の約５０％以下に抑制されるので、温室ガスの削減に寄与するという効果がある。
【００２４】
請求項６に記載の本発明によれば、長尺帯状の台シート素材１２ａに対してスリット１５と舌片１４を介して袋体１１を装着し、該台シート素材１２ａを長手方向に移送しながら、袋体１１の袋部１３に商品Ｍを装填すると共にシュリンク工程を実施し、その後に台シート素材１２ａを分断することにより商品陳列用包装体１０として完成した単位包装体１０ａを得る構成であるから、１個所の業者が連続的な製造ラインにより商品陳列用包装体を量産できる効果がある。そして、この場合、シュリンク工程で同時に加熱処理される舌片１４と台シート素材１２ａは、何れも耐熱性を有しており、熱影響により波打ち状等に歪曲することはなく、商品価値を低下しないという効果がある。
【００２５】
請求項７に記載の本発明によれば、長尺帯状の台シート素材１２ａを移送しながらスリット１５と舌片１４を介して袋体１１を装着し、該台シート素材１２ａを分断することにより単位包装体１０ｂを得た後、それぞれの単位包装体１０ｂの袋部１３に商品Ｍを装填しシュリンク工程を経ることにより商品陳列用包装体１０を完成する構成であるから、分業が可能になるという効果がある。従って、例えば、製袋業者が単位包装体１０ｂを製造した後、その供給を受けた商品販売業者が自己の商品Ｍを単位包装体１０ｂの袋部１３に装填しシュリンク工程を実施することにより商品陳列用包装体１０を完成し、卸売・小売業者等に供給するというような分業が可能になる。そして、この場合も、シュリンク工程で同時に加熱処理される舌片１４と台シート１２が何れも耐熱性を有しており、熱影響により波打ち状等に歪曲することはなく、商品価値を低下しないという効果がある。
【００２６】
請求項８に記載の本発明によれば、個々の袋体１１の袋部１３に商品Ｍを充填すると共にシュリンク工程を実施した後、長尺帯状の台シート素材１２ａを移送しながらスリット１５と舌片１４を介して前記シュリンク済みの袋体１１を装着し、該台シート素材１２ａを分断することにより商品陳列用包装体１０として完成した単位包装体１０ｃを得る構成であるから、分業が可能になるという効果がある。従って、例えば、製袋業者から袋体１１の供給を受けた商品販売業者が自己の商品Ｍを袋体１１の袋部１３に装填しシュリンク工程を実施した後、これを同一又は別の製袋業者に供給し、その供給を受けた製袋業者が前記シュリンク済みの袋体を台シート１２に結合した商品陳列用包装体１０を完成させるというような分業が可能になる。そして、この場合、シュリンク工程で同時に加熱処理される舌片１４が耐熱性を有しており、熱影響により波打ち状等に歪曲することはないので、その後に台シート素材１２ａのスリット１５に舌片１４を挿通する作業に支障を来すことはないという効果がある。
【発明を実施するための最良の形態】
【００２７】
以下図面に基づいて本発明の好ましい実施形態を詳述する。
【００２８】
本発明の商品陳列用包装体１０は、袋体１１と台シート１２とから成る構成であり、図２に商品包装状態における商品陳列用包装体１０の１実施形態を示し、図３に袋体１１と台シート１２を分離した状態を示している。
【００２９】
袋体１１は、袋部１３と、該袋部１３の背部に延設された舌片１４を備えている。袋部１３は、透明又は半透明の薄い合成樹脂シュリンクフィルムにより形成され、内部に商品Ｍを装填した状態で加熱することにより熱収縮し、商品Ｍの外周に密着した状態で抱持する。この際、シュリンクフィルムの厚さは２０μ〜４０μ程度が好ましく、素材は、ポリエチレン、ポリプロピレン、ポリエステル、ポリスチレン等から選択される。
【００３０】
舌片１４は、耐熱性を有する保形シートにより形成されており、図示実施形態の場合、前記袋部１３を構成する一対のフィルムを該袋部１３の背部に沿って直線状に溶着することにより首部１３ａが形成され、該首部１３ａから延長された一対のフィルムにより形成した翼片１３ｂ、１３ｂ（図４（Ａ）参照）のそれぞれに舌片１４、１４を重合すると共に固着している。従って、一対の翼片１３ｂ、１３ｂは、相互に接離自在となるように首部１３ａに対して揺動自在である。
【００３１】
台シート１２は、前記舌片１４、１４を挿通自在とするスリット１５を形成した表シート１６と、該表シート１６の背部に重合される裏シート１７を備えており、耐熱性を有する保形シートにより形成されている。この際、後述するように台シート１２を合成紙により構成する場合は、スリット１５を溶断刃により細い線状の形態で容易に形成することが可能である。尚、スリット１５の長さは商品Ｍを収容する袋体１１の大きさ及び舌片１４の長さに応じて任意に設定することができる。
【００３２】
前記舌片１４と台シート１２を構成する「耐熱性の保形シート」に関して、「耐熱性」とは、袋部１３を構成するシュリンクフィルムを熱収縮させるため同時に加熱処理されたとき、波打ち状等に歪曲しない意味である。また、「保形性」とは、特に大きな外力を受けない限りシート形態を保持できる意味である。従って、舌片１４の場合は、後述するように該舌片１４を台シート１２のスリットに挿通させたとき、該台シート１２の背部において抜け止め手段により保持できる程度の保形性を意味する。また、台シート１２の場合は、商品Ｍを収容した袋体１１を結合した状態で、陳列台のロッド等に吊持状態で陳列できる程度の保形性を意味する。
【００３３】
従って、前記保形シートは、紙でも良いが、台シート１２及び舌片１４の製造ラインを構築するためには溶断や溶着が可能となる合成紙により構成するのが好ましく、特に、炭酸カルシウムの含有により耐熱性を向上した合成紙により構成するのが最も好ましい。例えば、炭酸カルシウムの含有量を８０〜６５重量％とした合成紙であって厚さ８０μ〜１６０μ程度のものを使用すれば、上述した「耐熱性」と「保形性」を共に満足できる。しかも、このような炭酸カルシウムを高含有率とした合成紙によれば、燃焼時に排出される二酸化炭素をパルプ紙製品の約５０％以下に抑制できるので、近年クローズアップされている温室ガス削減に寄与できる。
【００３４】
図２及び図３に示す実施形態の場合、台シート１２は、所定寸法Ｗの高さ寸法と所定寸法Ｌの幅寸法を有する保形シートにより、前記高さ方向に表シート１６と裏シート１７を一体に延長しており、幅方向の折曲線１８を介して折曲することにより重合自在となるように構成され、折曲されたとき台シート１２の上部に吊下孔１９が形成されるように表裏シート１６、１７に孔１９ａ、１９ｂを穿孔している。因みに、台シート１２の表裏両面又は少なくとも表面には、商品Ｍに応じた文字や図柄等の情報等が印刷されている。このような印刷は、図３に鎖線で示すような長尺帯状の台シート素材１２ａをロールから繰り出すことによりグラビヤ印刷、スクリーン印刷等により施しても良く、或いは、図３に実線で示すような前記所定形状に裁断された枚葉状の台シート素材１２ｂに対してオフセット印刷、スクリーン印刷、インクジェット印刷等により施しても良い。尚、台シート１２の素材は、印刷の前又は後に、表裏両面に透明又は半透明の合成樹脂フィルムをドライラミネートするのが好ましい。ラミネートフィルムの厚さは表面側が３０μ〜８０μ程度、裏面側が３０μ〜５０μ程度とされるのが好ましく、素材は、ポリエチレン、ポリプロピレン、ポリエステル、ポリスチレン等から選択される。
【００３５】
そこで、袋体１１の舌片１４、１４を表シート１６の正面からスリット１５に挿通した後、一対の舌片１４、１４を相互に離反させた状態で、裏シート１７を折曲線１８に沿って折曲することにより表シート１６の背部に重合し固着すれば、該舌片１４、１４が表裏シート１６、１７の間に挟持され、抜け止め状に保持される。
【００３６】
図示実施形態の場合、台シート１２は上述のような合成紙により形成されているので、図２（Ｃ）に示すように、表裏シート１６、１７を重合した状態で台シート１２の両側縁を溶断溶着又は切断溶着することにより、固着側縁部２０、２０が形成され、これにより表裏シート１６、１７を重合状態で固着し、裏シート１７が舌片１４、１４を抜け止め状に保持する抜け止め手段２１を構成する。従って、この場合は、図２（Ｄ）に示すように、商品の購買者が台シート１２の両側縁（固着側縁部２０、２０）を相互に近接する方向に押圧することにより、表裏シート１６、１７を離反方向に変形させ膨らませると、袋体１１を表シート１６から引き離すことにより、舌片１４、１４をスリット１５から引き抜くことが可能である。
【００３７】
しかしながら、本発明が図示の実施形態に限定されないことは勿論であり、固着側縁部２０、２０の溶着に代えて、重合した表裏シート１６、１７を相互に接着剤等で接着することにより固着しても良い。この際、台シート１２は、表裏シート１６、１７を一体に備えた１枚のシートに代えて、表裏シート１６、１７を別々の２枚のシートにより構成しても良い。
【００３８】
また、台シート１２は、裏シート１７を有しない表シート１６のみで構成しても良く、舌片を一対の舌片１４、１４ではなく、一片の舌片１４のみで構成しても良い。この場合、舌片１４を台シート１２の正面からスリット１５に挿通し、該舌片１４を台シート１２の背部に重合した状態で、接着剤又は接着テープその他の固着手段で固着することにより、抜け止め手段を構成しても良い。
【００３９】
或いは、一対の舌片１４、１４を袋体１１の背部に左右離間した状態で設け、台シート１２に一対のスリット１５、１５を形成し、各スリット１５に挿通した各舌片１４を台シート１２の背部に重ね合わせるように構成しても良い。
【００４０】
更に、図３に示すように、袋体１１の首部１３ａの上下縁又は少なくとも下縁に切り込み２２を形成し、舌片１４をスリット１５に挿通した状態で下動することにより、スリット１５の下縁１５ａに切り込み２２に嵌入させ、これにより抜け止め手段を構成しても良い。尚、切り込み２２は、舌片１４自体に形成しても良い。
【００４１】
更に、図２（Ｅ）に示すように、台シート１２は、表シート１６から折曲された裏シート１７から更に折曲された延長シート１７ｘを有しており、全体として三つ折り状に折曲されている。従って、台シート１２の表裏両面又は片面に商品情報等を印刷する際に、印刷面を広げることにより情報量を増すことができ、例えば、商品の取扱い説明等の記述を詳細に印刷することが可能になる。延長シート１７ｘは、購買者が裏シート１７から引き剥がすことにより展開し、裏シート１７と延長シート１７ｘの両者にわたって印刷された記述を読むことができるように構成するのが好ましい。そこで、台シート１２の両側縁に位置して裏シート１７と延長シート１７ｘの重合面の相互には印刷インク等による溶着阻止剤１７ｙが予め印刷されている。従って、三つ折り状態で両側縁を溶断することにより前記固着側縁部２０、２０を形成した場合でも、延長シート１７ｘの両側縁は裏シート１７に軽く溶着されるだけであるから、簡単に引き剥がすことにより、図示鎖線で示すように展開することができる。尚、ミシン目等の分離線１７ｚを設けることにより、展開した延長シート１７ｘを分離できるように構成しても良い。
【００４２】
上記の構成において、商品陳列用包装体１０は、袋部１３が商品Ｍを装填した状態で加熱により熱収縮され、商品Ｍの外周に密着した状態で抱持している。
【００４３】
（加熱処理の第１例）
加熱処理の第１例において、台シート１２に装着する前の独立した袋体１１の袋部１３に商品Ｍを装填し、加熱することにより袋部１３を熱収縮させた後、該袋体１１の舌片１４を台シート１２のスリット１５に装着される。従って、この第１例の場合、舌片１４は、袋部１３と同時に加熱されるので、熱により歪曲しないように耐熱性の保形シートにより形成されている。尚、台シート１２は、加熱処理されないので、特に耐熱性であることを要しない。
【００４４】
（加熱処理の第２例）
加熱処理の第２例において、袋体１１の舌片１４を台シート１２のスリット１５に装着することにより、袋体１１と台シート１２が結合されており、その状態で袋部１３に商品Ｍを装填し、加熱することにより袋部１３を熱収縮させられる。従って、この第２例の場合、舌片１４と台シート１２の両方が袋部１３と同時に加熱されるので、何れも熱により歪曲しないように耐熱性の保形シートにより形成されている。
【００４５】
（袋体の製造方法）
図４及び図５は、袋体１１の製造方法の実施形態を示している。
【００４６】
図４（Ａ）（Ｂ）に示すように、長尺帯状の１枚のシュリンクフィルム２２を幅方向に折曲することにより長手方向に連続する袋構成部１３ｃを形成すると共に、該フィルムの両側縁を重ね合わせることにより一対の翼片１３ｂ、１３ｂを形成し、一対の翼片１３ｂ、１３ｂの基部を長手方向に溶着することにより首部１３ａを形成する。尚、図例の場合、袋構成部１３ｃは内側に折曲されたガゼット部１３ｄを形成するが、このような構成に限られるものではない。
【００４７】
次いで、図４（Ｃ）（Ｄ）に示すように、長尺テープ状の舌片構成用保形シート２３、２３が前記翼片１３ｂ、１３ｂに沿って重合され貼り合わせ固着される。この際、保形シート２３と翼片１３ｂは、接着剤による接着貼り合わせを行っても良く、或いは、熱シール、超音波シール、高周波シール等による溶着貼り合わせを行っても良い。
【００４８】
その後、前記のような長尺体を所定間隔で切断又は溶断等で裁断することにより、図５に示すような上下を開口し又は少なくとも上部を開口した袋部１３と舌片１４、１４を備えた袋体１１が得られる。前記長尺体を溶断により裁断する場合、溶断個所で袋構成部１３ｃとガゼット部１３ｄが相互に溶着される問題があるので、当該個所に位置して溶着を阻止する印刷インクその他の溶着阻止剤を予め印刷等によりフィルム２２に施しておくのが良い。
【００４９】
図５（Ａ）は、袋体１１の第１実施例を示しており、上述した長尺体を所定間隔で裁断することにより長さＨ１とされた袋体１１が形成され、該袋体１１は、背部に首部１３ａを介して相互に接離方向に揺動自在な一対の舌片１４、１４を延設している。尚、首部１３ａに切り込み２０を形成しても良いことは上述した通りである。
【００５０】
図５（Ｂ）は、袋体１１の第２実施例を示しており、舌片１４、１４の挿入端側の角部を切除することによりガイド縁２４を形成している。ガイド縁２４は、図例の場合、直線状に形成されているが、円弧状に形成しても良い。これにより舌片１４、１４を台シート１２のスリット１５に挿入する作業が容易となる。
【００５１】
図５（Ｃ）は、袋体１１の第３実施例を示しており、首部１３ａの一部分と共に舌片１４、１４の上下端部を切り落とすことにより切欠部２５、２５を形成している。これにより、袋部１３の長さＨ１に対して、首部１３ａ及び舌片１４、１４の長さＨ２が短く形成される。尚、切欠部２５は、首部１３ａ及び舌片１４、１４の上下一方にのみ形成しても良い。
【００５２】
図５（Ｄ）は、袋体１１の第４実施例を示しており、前述のように首部１３ａ及び舌片１４、１４に切欠部２５を形成した構成において、舌片１４、１４の挿入端側の角部を切除することにより直線状又は円弧状のガイド縁２４ａを形成している。
【００５３】
（商品陳列用包装体の製造方法の第１実施形態）
図６は、図１及び図２に基づいて説明した商品陳列用包装体１０の製造方法に関する第１実施形態を示している。
【００５４】
袋体１１は、図４及び図５に基づいて上述したような方法により多数形成される（製袋工程）。
【００５５】
図３に鎖線で示した台シート１２の高さ寸法Ｗを有して幅寸法Ｌ方向に延びる長尺帯状の台シート素材１２ａは、図６（Ａ）（Ｂ）に示すように、前記寸法Ｗに関して一側部の表シート形成部１６ａと他側部の裏シート形成部１７ａを構成しており、前記寸法Ｌ方向に関して所定間隔Ｌ１で裁断されたとき各１枚宛の台シート１２を構成する。そこで、台シート素材１２ａは、長手方向に移送されながら、後に裁断される１枚の台シート相当部分Ｌ１に相当して、表シート形成部１６ａにスリット１５が形成され、表シート形成部１６ａ及び裏シート形成部１７ａにそれぞれ孔１９ａ、１９ｂが形成される（台シート素材形成工程）。
【００５６】
そこで、図６（Ａ）（Ｂ）に示すように、前記台シート素材１２ａを長手方向に移送しながら各スリット１５に袋体１１の舌片１４、１４が装着される（結合工程）。この装着作業は、機械化による自動作業が可能であるが、手作業を加えた半自動でも良く、更には流れ作業による手作業で行っても良い。この点は後述する第２実施形態及び第３実施形態の場合も同様である。
【００５７】
次いで、図６（Ｃ）（Ｄ）に示すように、多数の袋体１１を装着した台シート素材１２ａを長手方向に移送しながら、袋体１１の袋部１３に商品Ｍが装填された後、加熱処理が施される（シュリンク工程）。例えば、熱風を吹き付けるトンネル内を通過させることにより加熱処理を行うと、袋部１３を構成するシュリンクフィルムが熱収縮され、商品Ｍの外周に密着した状態で抱持する。この際、台シート素材１２ａと袋体１１の舌片１４が同時に加熱されるが、上述のように耐熱性を有する合成紙により形成されているので、波打ち状等に歪曲されることはない。
【００５８】
移送中の台シート素材１２ａは、表シート形成部１６ａと裏シート形成部１７ｂを相互に折曲すると共に重合される（折曲重合工程）。この折曲重合は、前記シュリンク工程に先立って行っても良く、シュリンク工程の後に行っても良い。
【００５９】
その後、前記シュリンク工程を実施した部分から順に台シート素材１２ａを前記所定間隔Ｌ１に相当して溶断することにより、図６（Ｅ）（Ｆ）に示すような単位包装体１０ａが得られる（分断工程）。即ち、所定間隔Ｌ１で溶断することにより、重合された表シート１６と裏シート１７がサイドシールによる固着側縁部２０、２０を形成される。これにより得られた単位包装体１０ａは、そのまま上述した商品陳列用包装体１０を構成する。
【００６０】
（商品陳列用包装体の製造方法の第２実施形態）
図７は、図１及び図２に基づいて説明した商品陳列用包装体１０の製造方法に関する第２実施形態を示している。
【００６１】
袋体１１は、図４及び図５に基づいて上述したような方法により多数形成される（製袋工程）。
【００６２】
図７（Ａ）（Ｂ）に示すように、図６に基づいて説明した第１実施形態の場合と同様に台シート素材形成工程が行われる。即ち、長尺帯状の台シート素材１２ａは、一側部に表シート形成部１６ａを構成すると共に他側部に裏シート形成部１７ａを構成した状態で長手方向に延びており、長手方向に移送されながら、後に裁断される１枚の台シート相当部分Ｌ１に相当して、表シート形成部１６ａにスリット１５が形成され、表シート形成部１６ａ及び裏シート形成部１７ａにそれぞれ孔１９ａ、１９ｂが形成される（台シート素材形成工程）。
【００６３】
そこで、図７（Ａ）（Ｂ）に示すように、前記台シート素材１２ａを長手方向に移送しながら各スリット１５に袋体１１の舌片１４、１４が装着される（結合工程）。
【００６４】
次に、移送中の台シート素材１２ａは、表シート形成部１６ａと裏シート形成部１７ｂを相互に折曲重合され（重合工程）、更に、前記所定間隔Ｌ１に相当して溶断されることにより、図７（Ｃ）（Ｄ）に示すような単位包装体１０ｂが得られる（分断工程）。この単位包装体１０ｂは、台シート１２に袋体１１を装着したものであるが、袋体１１の袋部１３は空のままで商品Ｍを装填していない。
【００６５】
その後、図７（Ｅ）に示すように、前記単位包装体１０ｂに商品Ｍを装填し、加熱処理が施される（シュリンク工程）。例えば、熱風を吹き付けるトンネル内を通過させることにより加熱処理を行うと、袋部１３を構成するシュリンクフィルムが熱収縮され、商品Ｍの外周に密着した状態で抱持する。この際、台シート１２と袋体１１の舌片１４が同時に加熱されるが、上述のように耐熱性を有する合成紙により形成されているので、波打ち状等に歪曲されることはない。
【００６６】
前記シュリンク工程を終えると、図７（Ｆ）に示すような商品陳列用包装体１０が得られる。
【００６７】
（商品陳列用包装体の製造方法の第３実施形態）
図８は、図１及び図２に基づいて説明した商品陳列用包装体１０の製造方法に関する第３実施形態を示している。
【００６８】
袋体１１は、図４及び図５に基づいて上述したような方法により多数形成される（製袋工程）。
【００６９】
図６に基づいて説明した第１実施形態の場合と同様の方法で台シート素材形成工程が行われる。即ち、長尺帯状の台シート素材１２ａは、一側部に表シート形成部１６ａを構成すると共に他側部に裏シート形成部１７ａを構成した状態で長手方向に延びており、長手方向に移送されながら、後に裁断される１枚の台シート相当部分Ｌ１に相当して、表シート形成部１６ａにスリット１５が形成され、表シート形成部１６ａ及び裏シート形成部１７ａにそれぞれ孔１９ａ、１９ｂが形成される（台シート素材形成工程）。
【００７０】
図８（Ａ）（Ｂ）（Ｃ）に示すように、個々の袋体１１は、袋部１３に商品Ｍを装填した状態で加熱され袋部１３のシュリンクフィルムを熱収縮する（シュリンク工程）。例えば、熱風を吹き付けるトンネル内を通過させることにより加熱処理を行うと、袋部１３を構成するシュリンクフィルムが熱収縮され、商品Ｍの外周に密着した状態で抱持する。この際、袋体１１の舌片１４が同時に加熱されるが、上述のように耐熱性を有する合成紙により形成されているので、波打ち状等に歪曲されることはない。
【００７１】
その後、図８（Ｄ）（Ｅ）に示すように、台シート素材１２ａを長手方向に移送しながら、シュリンク後の袋体１１の舌片１４、１４を台シート素材１２ａのスリット１５に装着する（結合工程）。
【００７２】
次に、移送中の台シート素材１２ａは、表シート形成部１６ａと裏シート形成部１７ｂを相互に折曲重合され（重合工程）、更に、前記所定間隔Ｌ１に相当して溶断されることにより、図８（Ｆ）（Ｇ）に示すような単位包装体１０ｂが得られる（分断工程）。この単位包装体１０ｃは、そのまま上述した商品陳列用包装体１０を構成する。この第３実施形態においては、台シート１２は加熱処理されないので、必ずしも耐熱性を有する必要はない。
【００７３】
上記製造方法に関する第１ないし第３実施形態において、台シート素材１２ａは、表シート部１６ａと裏シート部１７ｂを折曲重合する重合工程の後に、溶断により固着側縁部２０、２０を形成するサイドシール方式の分断工程を行う例を説明したが、反対に、先に台シート素材１２ａを切断することにより台シート１２を形成し、該台シート１２の表裏シート１６、１７を折曲重合すると共に、両側縁を改めて溶着したり、重合面を接着剤等で接着したりするように構成しても良い。更には、台シート素材１２ａにより表シート部１６ａだけを形成し、別体の裏シート部１７ａを表シート部１６ａに重合し固着するように構成しても良い。
【図面の簡単な説明】
【００７４】
【図１】従来のブリスターパックを示し、（Ａ）は斜視図、（Ｂ）は中央縦断面図である。
【図２】本発明に係る商品陳列用包装体の実施形態を示し、（Ａ）は斜視図、（Ｂ）は中央縦断面図、（Ｃ）は横断面図、（Ｄ）は袋体を台シートから抜き取る際の作用を示す横断面図、（Ｅ）は延長シートを設けた実施例を示す縦断面図である。
【図３】本発明の実施形態に関して台シートと袋体を分離した状態を示す斜視図である。
【図４】袋体の製造方法の実施形態を示し、（Ａ）及び（Ｂ）は袋構成部を製袋した状態の斜視図及び断面図であり、（Ｃ）及び（Ｄ）は翼片に舌片構成用保形シートを貼り合わせた状態を示す斜視図及び断面図である。
【図５】袋体の実施例を示し、（Ａ）は第１実施例を示す斜視図、（Ｂ）は第２実施例を示す斜視図、（Ｃ）は第３実施例を示す斜視図、（Ｄ）は第４実施例を示す斜視図である。
【図６】商品陳列用包装体の製造方法に関する第１実施形態を示し、（Ａ）及び（Ｂ）は結合工程を示す断面図、（Ｃ）及び（Ｄ）はシュリンク工程を示す断面図、（Ｅ）及び（Ｆ）は重合工程及び分断工程を示す断面図である。
【図７】商品陳列用包装体の製造方法に関する第２実施形態を示し、（Ａ）及び（Ｂ）は結合工程を示す断面図、（Ｃ）及び（Ｄ）は重合工程及び分断工程を示す断面図、（Ｅ）及び（Ｆ）はシュリンク工程を示す断面図である。
【図８】商品陳列用包装体の製造方法に関する第３実施形態を示し、（Ａ）（Ｂ）及び（Ｃ）はシュリンク工程を示す断面図、（Ｄ）及び（Ｅ）は結合工程を示す断面図、（Ｆ）及び（Ｇ）は重合工程及び分断工程を示す断面図である。
【符号の説明】
【００７５】
１０  商品陳列用包装体
１１  袋体
１２  台シート
１３  袋部
１３ａ  首部
１４  舌片
１５  スリット
１６  表シート
１７  裏シート
１９  吊下孔
２０  固着側縁部
２１  抜け止め手段
【図１】
2009107702.tif 000003
【図２】
2009107702.tif 000004
【図３】
2009107702.tif 000005
【図４】
2009107702.tif 000006
【図５】
2009107702.tif 000007
【図６】
2009107702.tif 000008
【図７】
2009107702.tif 000009
【図８】
2009107702.tif 000010